(57)【要約】【課題】多灯点灯を行う場合に各放電灯に等しい電流を流すことができる放電灯点灯装置。【解決手段】複数の放電灯1a〜1dと、直流電圧を交番流電圧に変換する交番電圧発生回路10と、前記交番電圧発生回路10の出力端子に１次巻線P1が接続され且つ複数の２次巻線S1,S2を有するトランスT1とを有し、前記複数の放電灯1a〜1dと前記トランスT1の複数の２次巻線S1,S2とが直列に接続されるとともに１つの閉ループを形成することを特徴とする。【選択図】図１
2009043532.tif 000002
【特許請求の範囲】
【請求項１】
複数の放電灯と、
直流電圧を交番電圧に変換する交番電圧発生回路と、
前記交番電圧発生回路の出力端子に１次巻線が接続され且つ複数の２次巻線を有するトランスとを有し、
前記複数の放電灯と前記トランスの複数の２次巻線とが直列に接続されるとともに１つの閉ループを形成することを特徴とする放電灯点灯装置。
【請求項２】
前記複数の２次巻線の各々の２次巻線について、該２次巻線の一端には隣接する２つの放電灯の一方の放電灯の一端が接続され、該２次巻線の他端には隣接する２つの放電灯の他方の放電灯の一端が接続されることを特徴とする請求項１記載の放電灯点灯装置。
【請求項３】
前記複数の２次巻線は、４個以上の偶数個有し、直列に接続された２つの２次巻線で一対をなした２次巻線対を複数個構成し、
前記複数の２次巻線対の各々の２次巻線対について、該２次巻線対の一端には隣接する２つの放電灯の一方の放電灯の一端が接続され、該２次巻線対の他端には隣接する２つの放電灯の他方の放電灯の一端が接続されることを特徴とする請求項１記載の放電灯点灯装置。
【請求項４】
前記複数の２次巻線対の内の１つの２次巻線対の一方の２次巻線の直列接続側の一端が接地され前記１つの２次巻線対の他方の２次巻線の直列接続側の一端と前記接地との間に電流を検出する電流検出回路が設けられることを特徴とする請求項３記載の放電灯点灯装置。
【請求項５】
前記複数の２次巻線対の内の隣接する２つの２次巻線対において、一方の２次巻線対の２次巻線に一端が接続された放電灯の他端が接地され前記２つの２次巻線対の他方の２次巻線対の２次巻線に一端が接続された放電灯の他端と前記接地との間に電流を検出する電流検出回路が設けられることを特徴とする請求項３記載の放電灯点灯装置。
【請求項６】
直流電圧を交番電圧に変換する交番電圧発生回路と、
前記交番電圧発生回路の出力端子に１次巻線が接続され且つ複数の２次巻線を有する複数のトランスと、
前記複数のトランスと１対１対応で設けられた複数の放電灯群と、
前記複数のトランスの各々のトランスについて、前記放電灯群を構成する複数の放電灯と前記トランスの複数の２次巻線とが直列に接続されるとともに１つの閉ループを形成することを特徴とする放電灯点灯装置。
【発明の詳細な説明】
【技術分野】
【０００１】
本発明は、複数の冷陰極放電灯（ＣＣＦＬ：Cold Cathode Fluorescent Lamp）、外部電極蛍光灯や蛍光灯等の放電灯を点灯させる放電灯点灯装置に関する。
【背景技術】
【０００２】
冷陰極放電灯は、一般的に、インバータにより、数１０ｋＨｚの周波数で且つ数百Ｖ〜千数百Ｖの電圧が印加されることにより点灯する。また、外部電極蛍光灯（ＥＥＦＬ：External Electrode Fluorescent Lamp）と呼ばれる蛍光管もある。外部電極蛍光灯と冷陰極放電灯とは電極の構造が相違し、それ以外の相違はほとんどなく、発光原理も冷陰極放電灯と同じである。このため、外部電極蛍光灯や冷陰極放電灯を点灯させるためのインバータは、原理的には同じである。このため、以下、冷陰極放電灯（放電灯と略称する。）を用いて説明する。
【０００３】
放電灯点灯装置は、インバータと放電灯とを有して構成されている。インバータは、直流電源の直流電圧を交番電圧発生回路により周波数変換された交番電圧に変換し、この交番電圧を電圧変換回路で所望の電圧値に変換する。また、放電灯は、負性抵抗特性を持つため、コンデンサやインダクタ等、正の抵抗特性を持つ素子を放電灯に直列に接続し、その合成インピーダンスが正の抵抗特性になるようにしている。接続されるコンデンサをバラストコンデンサと呼ぶ。
【０００４】
また、バラスト素子としてトランスのリーケージインダクタンスを積極的に利用する回路もある。この回路は、放電灯の点灯に必要な電圧を発生し、放電灯が点灯した後には、放電灯の点灯維持電圧までトランスの電圧が下がるため、常時高い電圧を出力しておく必要はない。このため、部品の信頼性、ノイズ、安全面で有利である。なお、バラスト素子としてコンデンサを用いる場合には、常にコンデンサに印加される電圧が存在するため、常に高い電圧を出力しておく必要がある。
【０００５】
放電灯の輝度に影響を与える要素は様々あるが、放電灯に流れる電流値の影響が大きい。複数の放電灯を点灯させる場合、それぞれの放電灯に流れる電流値が一定であれば、複数の放電灯のそれぞれの輝度はかなりの精度で等しくなる。従って、通常、多灯点灯を行う場合には、放電灯に流れる電流は等しい（バランス）方が望ましい。
【０００６】
多灯点灯回路では、各放電灯にコンデンサなどのバラスト素子が直列に接続されていれば、他の放電灯の点灯・未点灯にかかわらず、点灯開始電圧を印加し続けることができる。また、リーケージトランスを用いた多灯点灯回路では、各放電灯にバラスト素子となるリーケージインダクタンスが必要である。このため、放電灯の数と同数のリーケージトランスが必要になる。リーケージトランスの数を減らす方法としては、トランスの２次側に２出力の巻線を持つことにより、トランスの数を半減できる。
【０００７】
次に、多灯点灯時の各放電灯に流れる電流のばらつきについて考える。放電灯の電流は、放電灯インピーダンスの個体差、温度による放電灯インピーダンス変化、コンデンサの容量差などによりばらつき、各放電灯で電流に差が生ずる。
【０００８】
図１１は従来の放電灯点灯装置の例１の回路図である。図１１において、４つの放電灯１ａ〜１ｄに１対１対応でコンデンサＣ１〜Ｃ４が直列に接続されている。インバータ３は、直流電源Ｖｉｎの電圧を交番電圧発生回路１０により周波数変換された交番電圧に変換し、この交番電圧を電圧変換回路１１で所望の電圧値に変換し、４つの放電灯１ａ〜１ｄを点灯させる。
【０００９】
図１２は従来の放電灯点灯装置の例２の回路図である。図１２において、交番電圧発生回路１０内のスイッチ素子Ｑ２の両端には、電流共振コンデンサＣｒｉを介してリーケージトランスＴ４ａ〜Ｔ４ｄの１次巻線Ｐ１〜Ｐ４が並列に接続され、リーケージトランスＴ４ａ〜Ｔ４ｄの２次巻線Ｓ１〜Ｓ４の両端に１対１対応で放電灯１ａ〜１ｄが接続されている。これによれば、放電灯の各々にトランスがあり、各放電灯１ａ〜１ｄにリーケージインダクタンスＬ１〜Ｌ４が直列に接続されているため、多灯点灯が可能である。従って、原理上ではトランスを増やせば放電灯が何本でも点灯可能である。
【００１０】
図１３は従来の放電灯点灯装置の例３の回路図である。図１３では、リーケージトランスＴ５ｂにおいて、リーケージインダクタンスＬ１と２次巻線Ｓ１とリーケージインダクタンスＬ２と２次巻線Ｓ２との直列回路の両端に放電灯１ｃと放電灯１ｄとの直列回路が接続されている。リーケージトランスＴ５ａにおいて、リーケージインダクタンスＬ３と２次巻線Ｓ３とリーケージインダクタンスＬ４と２次巻線Ｓ４との直列回路の両端に放電灯１ａと放電灯１ｂとの直列回路が接続されている。この例３においても各々の放電灯にリーケージインダクタンスが直列に接続されているため、多灯点灯が可能である。図１４に示す例４では、１つのリーケージトランスＴ６の２次側に４つの２次巻線Ｓ１〜Ｓ４を設けたもので、トランスの出力を４出力にしたものである。
【００１１】
なお、特許文献１には、複数のトランスを使用した時の電流バランスについて記載されている。
【特許文献１】特開２００６−１２７７８９号公報
【発明の開示】
【発明が解決しようとする課題】
【００１２】
このように、図１１、図１２に示す回路は、放電灯インピーダンスの個体差、温度による放電灯インピーダンス変化、コンデンサの容量差が発生した場合、各放電灯に流れる電流値も変化する。
【００１３】
図１３に示す回路では、放電灯１ａと放電灯１ｂがトランスＴ５ａの巻線を含めて１つのループを形成し、放電灯１ｃと放電灯１ｄがトランスＴ５ｂの巻線を含めて１つのループを形成している。このため、放電灯１ａと放電灯１ｂは等しい電流値になり、放電灯１ｃと放電灯１ｄは等しい電流値になるが、放電灯１ａと放電灯１ｃは等しくならない。図１４に示す回路も同様である。
【００１４】
本発明は、多灯点灯を行う場合に各放電灯に等しい電流を流すことができる放電灯点灯装置を提供することにある。
【課題を解決するための手段】
【００１５】
上記課題を解決するために、請求項１の発明は、複数の放電灯と、直流電圧を交番電圧に変換する交番電圧発生回路と、前記交番電圧発生回路の出力端子に１次巻線が接続され且つ複数の２次巻線を有するトランスとを有し、前記複数の放電灯と前記トランスの複数の２次巻線とが直列に接続されるとともに１つの閉ループを形成することを特徴とする。
【００１６】
請求項２の発明は、請求項１記載の放電灯点灯装置において、前記複数の２次巻線の各々の２次巻線について、該２次巻線の一端には隣接する２つの放電灯の一方の放電灯の一端が接続され、該２次巻線の他端には隣接する２つの放電灯の他方の放電灯の一端が接続されることを特徴とする。
【００１７】
請求項３の発明は、請求項１記載の放電灯点灯装置において、前記複数の２次巻線は、４個以上の偶数個有し、直列に接続された２つの２次巻線で一対をなした２次巻線対を複数個構成し、前記複数の２次巻線対の各々の２次巻線対について、該２次巻線対の一端には隣接する２つの放電灯の一方の放電灯の一端が接続され、該２次巻線対の他端には隣接する２つの放電灯の他方の放電灯の一端が接続されることを特徴とする。
【００１８】
請求項４の発明は、請求項３記載の放電灯点灯装置において、前記複数の２次巻線対の内の１つの２次巻線対の一方の２次巻線の直列接続側の一端が接地され前記１つの２次巻線対の他方の２次巻線の直列接続側の一端と前記接地との間に電流を検出する電流検出回路が設けられることを特徴とする。
【００１９】
請求項５の発明は、請求項３記載の放電灯点灯装置において、前記複数の２次巻線対の内の隣接する２つの２次巻線対において、一方の２次巻線対の２次巻線に一端が接続された放電灯の他端が接地され前記２つの２次巻線対の他方の２次巻線対の２次巻線に一端が接続された放電灯の他端と前記接地との間に電流を検出する電流検出回路が設けられることを特徴とする。
【００２０】
請求項６の発明は、直流電圧を交番電圧に変換する交番電圧発生回路と、前記交番電圧発生回路の出力端子に１次巻線が接続され且つ複数の２次巻線を有する複数のトランスと、前記複数のトランスと１対１対応で設けられた複数の放電灯群と、前記複数のトランスの各々のトランスについて、前記放電灯群を構成する複数の放電灯と前記トランスの複数の２次巻線とが直列に接続されるとともに１つの閉ループを形成することを特徴とする。
【発明の効果】
【００２１】
請求項１〜３の発明によれば、複数の放電灯とトランスの複数の２次巻線とが直列に接続されるとともに１つの閉ループを形成するので、各放電灯に等しい電流を流すことができる。
【００２２】
請求項４、５の発明によれば、電流検出回路により各放電灯に流れる電流を正確に検出することができる。
【００２３】
請求項６の発明によれば、複数のトランスに対応させて複数の放電灯群を設けたので、多灯点灯の大きなパネル部を構成できる。
【発明を実施するための最良の形態】
【００２４】
以下、本発明の放電灯点灯装置の実施の形態を図面を参照しながら詳細に説明する。
【実施例１】
【００２５】
図１は本発明の実施例１の放電灯点灯装置の構成を示す図である。図１において、交番電圧発生回路１０は、直流電源Ｖｉｎの直流電圧を周波数変換された交番電圧に変換する。トランスＴ１は、交番電圧を所望の電圧値に変換するもので、１次巻線Ｐ１と２次巻線Ｓ１と２次巻線Ｓ２とを有する。
【００２６】
トランスＴ１の２次巻線Ｓ１の一端（●側）には放電灯１ａの一端が接続され、２次巻線Ｓ１の他端には放電灯１ｂの一端が接続されている。トランスＴ１の２次巻線Ｓ２の一端（●側）には放電灯１ｃの一端が接続され、２次巻線Ｓ２の他端には放電灯１ｄの一端が接続されている。放電灯１ｂの他端と放電灯１ｃの他端が接続され、放電灯１ａの他端と放電灯１ｄの他端が接続されている。即ち、放電灯１ａ〜１ｄとトランスＴ１の２次巻線Ｓ１，Ｓ２とが直列に接続されるとともに１つの閉ループを形成している。
【００２７】
放電灯１ａ〜１ｄは、例えば、冷陰極放電灯、外部電極蛍光灯や蛍光灯から構成されており、ここでは、冷陰極放電灯を用いるものとする。
【００２８】
このような構成によれば、電流は、Ｓ１→１ａ→１ｄ→Ｓ２→１ｃ→１ｂ→Ｓ１の経路とこの逆の経路とを交互に流れる。即ち、４つの放電灯１ａ〜１ｄに流れる電流が１つの閉ループを形成しているので、放電灯１ａ〜１ｄに流れる電流を等しくすることができる。
【実施例２】
【００２９】
一般的に放電灯が長尺になればなるほど放電灯には高い電圧が必要になり、トランス出力も高くなる。図１に示す実施例１では、２次巻線Ｓ１，Ｓ２の各々の巻線で２本分の放電灯電圧を発生させている。放電灯が長尺で必要な電圧が高くなれば、２次巻線Ｓ１，Ｓ２で発生させる電圧が高くなり、２次巻線Ｓ１，Ｓ２としての耐圧も高いものが必要になり、電圧ストレスも大きくなり、信頼性が低下するという課題を有する。そこで、実施例２では、この課題を解決したものである。
【００３０】
図２は本発明の実施例２の放電灯点灯装置の構成を示す図である。図２に示す実施例２では、トランスＴ２が１次巻線Ｐ１と２次巻線Ｓ１〜Ｓ４とからなる。即ち、トランスＴ２の２次側が４巻線である。
【００３１】
２次巻線Ｓ１と２次巻線Ｓ２との直列回路（２次巻線対）の一端と２次巻線Ｓ３と２次巻線Ｓ４との直列回路（２次巻線対）の一端との間には、放電灯１ｂと放電灯１ｃとの直列回路が接続されている。２次巻線Ｓ１と２次巻線Ｓ２との直列回路の他端と２次巻線Ｓ３と２次巻線Ｓ４との直列回路の他端との間には、放電灯１ａと放電灯１ｄとの直列回路が接続されている。即ち、放電灯１ａ〜１ｄとトランスＴ２の２次巻線Ｓ１〜Ｓ４とが直列に接続されるとともに１つの閉ループを形成している。
【００３２】
このような構成によれば、電流は、Ｓ１→１ａ→１ｄ→Ｓ４→Ｓ３→１ｃ→１ｂ→Ｓ２→Ｓ１の経路とこの逆の経路とを交互に流れる。従って、放電灯１ａ〜１ｄに流れる電流を等しくすることができる。また、２次巻線Ｓ１〜Ｓ４は、それぞれ放電灯１本分の電圧を受けもつことになる。特に、放電灯が長尺で高い電圧が必要な場合に有効である。
【００３３】
（実施例２の変形例１）
図３に実施例２の変形例１を示す。図３の実施例２の変形例１では、６灯の放電灯１ａ〜１ｆに対応させてトランスＴ３が２次巻線Ｓ１〜Ｓ６を設けたものである。即ち、トランスＴ３の２次側が６巻線である。
【００３４】
放電灯１ａ〜１ｆとトランスＴ２の２次巻線Ｓ１〜Ｓ６とが直列に接続されるとともに１つの閉ループを形成しているので、実施例２の効果と同様な効果が得られる。また、本発明はトランスの２次巻線を増やすことにより６灯以上の放電灯にも適用可能である。
【実施例３】
【００３５】
図４は本発明の実施例３の放電灯点灯装置の構成を示す図である。図４に示す実施例３では、図１に示す実施例１のトランスに対して、トランスＴ１ａの２次巻線Ｓ２の極性が逆となっている。放電灯１ａの他端と放電灯１ｃの他端とが接続され、放電灯１ｂの他端と放電灯１ｄの他端とが接続されている。
【００３６】
このような構成によれば、電流は、Ｓ１→１ａ→１ｃ→Ｓ２→１ｄ→１ｂ→Ｓ１の経路とこの逆の経路とを交互に流れる。従って、放電灯１ａ〜１ｄに流れる電流を等しくすることができる。なお、トランスの極性を逆とする構成は、例えば、図２の実施例２及び図３のその変形例１にも同様に適用可能である。
【実施例４】
【００３７】
図５は本発明の実施例４の放電灯点灯装置の構成を示す図である。図５に示す実施例４は、２つのトランスＴ２ａ，Ｔ２ｂを用いて８灯の放電灯を点灯するものである。
【００３８】
トランスＴ２ａは、１次巻線Ｐ１と２次巻線Ｓ１〜Ｓ４を有する。４灯からなる放電灯１ａ〜１ｄ(放電灯群)とトランスＴ２ａの２次巻線Ｓ１〜Ｓ４とが直列に接続されるとともに１つの閉ループを形成している。トランスＴ２ｂは、１次巻線Ｐ２と２次巻線Ｓ５〜Ｓ８を有する。４灯からなる放電灯１ｅ〜１ｈ(放電灯群)とトランスＴ２ｂの２次巻線Ｓ５〜Ｓ８とが直列に接続されるとともに１つの閉ループを形成している。
【００３９】
このような実施例３の構成によれば、実施例２の効果と同様な効果が得られるとともに、８灯の放電灯１ａ〜１ｈを点灯することができる。また、トランスを３個、４個と増やすことにより、より多くの放電灯群を点灯できる。
【実施例５】
【００４０】
図６は本発明の実施例５の放電灯点灯装置の構成を示す図である。図６に示す実施例５は、図２に示す実施例２の構成に、電流検出回路を構成するダイオードＤ１，Ｄ２及び抵抗Ｒ１と、制御回路１２を追加したものである。
【００４１】
トランスＴ２の２次巻線Ｓ１の他端と接地との間にはダイオードＤ１と抵抗Ｒ１との直列回路が接続され、この直列回路の両端にはダイオードＤ２が接続されている。トランスＴ２の２次巻線Ｓ２の一端は接地されている。ダイオードＤ１と抵抗Ｒ１との接続点には制御回路１２が接続されている。
【００４２】
電流検出回路は、２次巻線Ｓ１に流れる電流を検出する。制御回路１２は、電流検出回路で検出された電流に基づき交番電圧発生回路１０内のスイッチング素子（図示せず）のオン／オフを制御して放電灯１ａ〜１ｄに流れる電流を一定値になるように制御する。あるいは、制御回路１２は、電流検出回路で検出された電流に基づいて放電灯１ａ〜１ｄの異常を検出することもできる。
【実施例６】
【００４３】
次に、図６に示す放電灯点灯装置の寄生容量の分布について図７を用いて説明する。図７において、放電灯１ａの一端と接地との間には寄生容量Ｃａを有し、放電灯１ｂの一端と接地との間には寄生容量Ｃｂを有し、放電灯１ｃの一端と接地との間には寄生容量Ｃｃを有し、放電灯１ｄの一端と接地との間には寄生容量Ｃｄを有している。
【００４４】
この場合、２次巻線Ｓ２〜Ｓ４付近からの寄生容量Ｃｂ〜Ｃｄを流れる電流も電流検出抵抗Ｒ１を流れるため、真の電流値よりも多い電流値を検出してしまう。即ち、電流検出精度が低下する。
【００４５】
そこで、図８に示す実施例６の放電灯点灯装置は、電流検出精度を向上させるようにしたものである。図８に示す実施例６では、２次巻線毎に電流検出回路を設けている。即ち、２次巻線Ｓ１の他端に直列に接続されたダイオードＤ１，Ｄ２及び抵抗Ｒ１からなり２次巻線Ｓ１に流れる電流を検出する電流検出回路と、２次巻線Ｓ２の一端に直列に接続されたダイオードＤ３，Ｄ４及び抵抗Ｒ２からなり２次巻線Ｓ２に流れる電流を検出する電流検出回路と、２次巻線Ｓ３の他端に直列に接続されたダイオードＤ５，Ｄ６及び抵抗Ｒ３からなり２次巻線Ｓ３に流れる電流を検出する電流検出回路と、２次巻線Ｓ４の他端に直列に接続されたダイオードＤ７，Ｄ８及び抵抗Ｒ４からなり２次巻線Ｓ４に流れる電流を検出する電流検出回路とが設けられている。制御回路１２は、各電流検出回路からの各電流値を合計してその平均電流値に基づいて放電灯の電流を一定値になるように制御する。従って、電流検出精度を向上できる。
【実施例７】
【００４６】
図９は本発明の実施例７の放電灯点灯装置の構成を示す図である。図９に示す実施例７では、図２に示す実施例２の構成に、電流検出回路を構成するダイオードＤ１，Ｄ２及び抵抗Ｒ１と、制御回路１２を追加したものである。
【００４７】
トランスＴ２の２次巻線Ｓ１の一端に接続された放電灯１ａの他端が接地されている。トランスＴ２の２次巻線Ｓ４の他端に接続された放電灯１ｄの他端と接地との間にはダイオードＤ１と抵抗Ｒ１との直列回路が接続され、この直列回路の両端にはダイオードＤ２が接続されている。ダイオードＤ１と抵抗Ｒ１との接続点には制御回路１２が接続されている。
【００４８】
電流検出回路は、２次巻線Ｓ４に流れる電流を検出する。制御回路１２は、電流検出回路で検出された電流に基づき交番電圧発生回路１０内のスイッチング素子（図示せず）のオン／オフを制御して放電灯１ａ〜１ｄに流れる電流を一定値になるように制御する。あるいは、制御回路１２は、電流検出回路で検出された電流に基づいて放電灯１ａ〜１ｄの異常を検出することもできる。
【実施例８】
【００４９】
図１０は本発明の実施例８の放電灯点灯装置の構成を示す図である。図１０に示す実施例８では、図９に示す実施例７の構成に、電流検出回路を構成するダイオードＤ３，Ｄ４及び抵抗Ｒ２を追加したものである。
【００５０】
トランスＴ２の２次巻線Ｓ２の他端に接続された放電灯１ｂの他端が接地されている。トランスＴ２の２次巻線Ｓ３の一端に接続された放電灯１ｃの他端と接地との間にはダイオードＤ３と抵抗Ｒ２との直列回路が接続され、この直列回路の両端にはダイオードＤ４が接続されている。ダイオードＤ３と抵抗Ｒ２との接続点には制御回路１２が接続されている。
【００５１】
制御回路１２は、各電流検出回路で検出された各電流値を合計してその平均電流値に基づいて放電灯の電流を一定値になるように制御する。従って、電流検出精度を向上できる。あるいは、制御回路１２は、各電流検出回路で検出された電流に基づいて放電灯１ａ〜１ｄの異常を検出することもできる。
【図面の簡単な説明】
【００５２】
【図１】本発明の実施例１の放電灯点灯装置の構成を示す図である。
【図２】本発明の実施例２の放電灯点灯装置の構成を示す図である。
【図３】本発明の実施例２における変形例１の放電灯点灯装置の構成を示す図である。
【図４】本発明の実施例３の放電灯点灯装置の構成を示す図である。
【図５】本発明の実施例４の放電灯点灯装置の構成を示す図である。
【図６】本発明の実施例５の放電灯点灯装置の構成を示す図である。
【図７】図６に示す実施例５の放電灯点灯装置の寄生容量の分布を示す図である。
【図８】本発明の実施例６の放電灯点灯装置の構成を示す図である。
【図９】本発明の実施例７の放電灯点灯装置の構成を示す図である。
【図１０】本発明の実施例８の放電灯点灯装置の構成を示す図である。
【図１１】従来の放電灯点灯装置の例１の回路図である。
【図１２】従来の放電灯点灯装置の例２の回路図である。
【図１３】従来の放電灯点灯装置の例３の回路図である。
【図１４】従来の放電灯点灯装置の例４の回路図である。
【符号の説明】
【００５３】
Ｔ１，Ｔ１ａ，Ｔ２，Ｔ２ａ，Ｔ２ｂ，Ｔ３，Ｔ４，Ｔ４ａ〜Ｔ４ｄ，Ｔ５ａ，Ｔ５ｂ，Ｔ６  トランス
Ｐ１  １次巻線
Ｓ１〜Ｓ８  ２次巻線
Ｄ１〜Ｄ８  ダイオード
Ｒ１〜Ｒ４  抵抗
Ｑ１，Ｑ２  スイッチング素子
３，３ａ〜３ｃ  インバータ
Ｃａ〜Ｃｄ  寄生容量
Ｃ１〜Ｃ４  コンデンサ
Ｃｒｉ  電流共振コンデンサ
Ｖｉｎ  直流電源
１ａ〜１ｈ  放電灯
１０  交番電圧発生回路
１１  電圧変換回路
１２  制御回路
【図１】
2009043532.tif 000003
【図２】
2009043532.tif 000004
【図３】
2009043532.tif 000005
【図４】
2009043532.tif 000006
【図５】
2009043532.tif 000007
【図６】
2009043532.tif 000008
【図７】
2009043532.tif 000009
【図８】
2009043532.tif 000010
【図９】
2009043532.tif 000011
【図１０】
2009043532.tif 000012
【図１１】
2009043532.tif 000013
【図１２】
2009043532.tif 000014
【図１３】
2009043532.tif 000015
【図１４】
2009043532.tif 000016